(57)【要約】【課題】簡易な構造により、電装ボックスの着脱を簡便に行うことができ、さらには、電装ボックスをスライドさせるためのスペースを設けないことによって、ユニット本体の高さを低く抑えることができる熱交換ユニットを提供する。【解決手段】圧縮機１８及び熱交換器２１を収納したユニット本体２０を備え、前記圧縮機１８に対向するユニット本体２０の側面に電装ボックス１１を取り付ける支柱９２、９３を備え、この支柱９２、９３に前記電装ボックス１１を着脱可能に設けた熱交換ユニット１において、前記支柱９２、９３に対し、前記電装ボックス１１の取付フランジ部６１、６２が当接する当接フランジ部８７、８８を形成し、この当接フランジ部８７、８８の下端に前記電装ボックス１１の取付フランジ部６１、６２の下端を支持する支持部９６、９７を設け、前記当接フランジ部８７、８８の上部に前記電装ボックス１１の取付フランジ部６１の上部を係止する爪部９４を備えた。【選択図】図５
2008032254.tif 000002
【特許請求の範囲】
【請求項１】
圧縮機及び熱交換器を収納したユニット本体を備え、前記圧縮機に対向するユニット本体の側面に電装ボックスを取り付ける支柱を備え、この支柱に前記電装ボックスを着脱可能に設けた熱交換ユニットにおいて、
前記支柱に対し、前記電装ボックスの取付フランジ部が当接する当接フランジ部を形成し、この当接フランジ部の下端に前記電装ボックスの取付フランジ部の下端を支持する支持部を設け、前記当接フランジ部の上部に前記電装ボックスの取付フランジ部の上部を係止する爪部を備えたことを特徴とする熱交換ユニット。
【請求項２】
前記当接フランジ部の上端と、前記当接フランジ部の下端との間の寸法が、
前記取付フランジ部の上端と、前記取付フランジ部の下端との間の寸法と略同寸法に設けられ、
前記爪部と、前記取付フランジ部との間に、前記取付フランジ部が配置されていることを特徴とする請求項１に記載の熱交換ユニット。
【請求項３】
前記爪部は、前記当接フランジ部の上端を、前記取付フランジ部が配置される側に、下に開いたコ字状に屈曲させて形成し、
前記支持部は、前記当接フランジ部の一部を、前記取付フランジ部が配置される側に、Ｌ字状に屈曲させて形成したことを特徴とする請求項１または２に記載の熱交換ユニット。
【請求項４】
前記電装ボックスを取り付ける際に、前記爪部と前記当接フランジ部との間に前記取付フランジ部の上端を下方から差し込んだ状態で、前記取付フランジ部の上端を支点に前記電装ボックスの下部を回動させて、前記支持部に前記取付フランジ部の下端を支持させるように構成されることを特徴とする請求項１乃至３のいずれか一項に記載の熱交換ユニット。
【発明の詳細な説明】
【技術分野】
【０００１】
本発明は、電装ボックスを着脱可能に設けた熱交換ユニットに関する。
【背景技術】
【０００２】
従来、圧縮機及び熱交換器を収納したユニット本体を備え、圧縮機に対向するユニット本体の側面に電装ボックスを取り付ける支柱を備え、この支柱に電装ボックスを着脱可能に設けた熱交換ユニットが知られている。
このような熱交換ユニットにおいては、電装ボックスの裏側に圧縮機等が配置されており、電装ボックスは、熱交換ユニットのメンテナンス時等に取り外される。このため、電装ボックスはねじ等でユニット本体の支柱に固定される。このとき、電装ボックスが倒れないようにするために、電装ボックスにだるま穴や長穴等を設けておき、このだるま穴や長穴等を支柱に引っ掛けて、電装ボックスをユニット本体に仮止めすることが一般的に行われていた。
【０００３】
また、メンテナンス作業を容易にするために、支柱に上方に突出する舌片を設け、電装ボックスには、この舌片に対応する位置に、舌片の周りを囲うようにして舌片に上方から引っ掛かる枠部材を設け、舌片を軸として電装ボックスがドアのように回動自在にユニット本体に取り付けられたものも提案されている（例えば、特許文献１参照）。
【特許文献１】特開平８−２１６４３号公報
【発明の開示】
【発明が解決しようとする課題】
【０００４】
しかしながら、だるま穴等で電装ボックスを支柱に取り付けた熱交換ユニットにおいては、着脱時に、電装ボックスを上方にスライドさせなければならないため、ユニット本体の上面板と電装ボックスとの間に、電装ボックスをスライドさせるためのスペースを確保する必要があった。
【０００５】
また、電装ボックスをユニット本体に回動自在に取り付けた熱交換ユニットにおいては、電装ボックスの回動時に、電装ボックスがユニット本体から外れないような構造にするには、ヒンジ等を用いる必要があり、構造が複雑になってしまうといった問題があった。また、電装ボックスの枠部材をユニット本体の舌片に上方から引っ掛けて取り付けられているため、だるま穴等で電装ボックスを取り付けた場合と同様に、ユニット本体の上面板と電装ボックスとの間に、電装ボックスをスライドさせるためのスペースを確保する必要があった。
【０００６】
これらの熱交換ユニットにおいては、電装ボックスをスライドさせるためのスペースを、電装ボックスの上面板と電装ボックスとの間に確保する必要があるため、ユニット本体の高さを低く抑えることが困難であるといった問題があった。
さらには、電装ボックスの取り付け位置が低すぎて、作業員が無理な姿勢で作業する場合や、電装ボックスが重い場合等に、電装ボックスを上方に持ち上げて支柱に引っ掛ける作業が困難であるといった問題があった。
【０００７】
本発明は、上述した事情に鑑みてなされたものであり、簡易な構造により、電装ボックスの着脱を簡便に行うことができ、さらには、電装ボックスをスライドさせるためのスペースを設けないことによって、ユニット本体の高さを低く抑えることができる熱交換ユニットを提供することを目的とする。
【課題を解決するための手段】
【０００８】
本発明は、圧縮機及び熱交換器を収納したユニット本体を備え、前記圧縮機に対向するユニット本体の側面に電装ボックスを取り付ける支柱を備え、この支柱に前記電装ボックスを着脱可能に設けた熱交換ユニットにおいて、前記支柱に対し、前記電装ボックスの取付フランジ部が当接する当接フランジ部を形成し、この当接フランジ部の下端に前記電装ボックスの取付フランジ部の下端を支持する支持部を設け、前記当接フランジ部の上部に前記電装ボックスの取付フランジ部の上部を係止する爪部を備えたことを特徴とする。
【０００９】
この場合において、前記当接フランジ部の上端と、前記当接フランジ部の下端との間の寸法が、前記取付フランジ部の上端と、前記取付フランジ部の下端との間の寸法と略同寸法に設けられ、前記爪部と、前記取付フランジ部との間に、前記取付フランジ部が配置されていてもよい。
【００１０】
また、この場合において、前記爪部は、前記当接フランジ部の上端を、前記取付フランジ部が配置される側に、下に開いたコ字状に屈曲させて形成し、前記支持部は、前記当接フランジ部の一部を、前記取付フランジ部が配置される側に、Ｌ字状に屈曲させて形成してもよい。
【００１１】
さらに、この場合において、前記電装ボックスを取り付ける際に、前記爪部と前記当接フランジ部との間に前記取付フランジ部の上端を下方から差し込んだ状態で、前記取付フランジ部の上端を支点に前記電装ボックスの下部を回動させて、前記支持部に前記取付フランジ部の下端を支持させるように構成されていてもよい。
【発明の効果】
【００１２】
本発明によれば、ユニット本体の側面に電装ボックスを取り付ける支柱に対し、電装ボックスの取付フランジ部が当接する当接フランジ部を形成し、この当接フランジ部の下端に電装ボックスの取付フランジ部の下端を支持する支持部を設け、当接フランジ部の上端に前記電装ボックスの取付フランジ部の上部を係止する爪部を備えたため、電装ボックスとユニット本体の上面板との間に、電装ボックスを着脱する際に電装ボックスをスライドさせるためのスペースを設けなくても、電装ボックスの仮止めを容易に行うことができるため、簡易な構造により、電装ボックスの着脱を簡便に行うことができ、さらには、電装ボックスをスライドさせるためのスペースを設けないことによって、ユニット本体の高さを低く抑えることができる。
【発明を実施するための最良の形態】
【００１３】
以下、本発明の実施の形態に係る熱交換ユニット１について、図面を参照しながら説明する。図１は、本発明の実施の形態に係る熱交換ユニット１を斜め上方から見た状態の概要図である。なお、以下の説明で使用する、前後、上下、左右の方向は、図１における前面板７側から見た方向をいうものとする。
【００１４】
熱交換ユニット１は、図１に示すように、前後方向に長手方向を有する略角柱形状をなしており、熱交換ユニット１の外側部分であるユニット本体２０を、上面板２、底面板３，左側面板４、右側面板５、後面板６、および前面板７とで構成している。この前面板７は、メンテナンス時などに着脱可能なように、ねじ等の締結部材で取り付けられている。また、この熱交換ユニット１は、屋外で雨水に曝される環境で使用されるため、各板の組み合わされる部分が水密構造となるように組み付けられている。
【００１５】
前面板７が取り付けられる面の右側部分には、図１に示すように、後面板６側に向かって凹んでおり前面板７の面と略平行な２つの段差面１２、１３が形成されている。この段差面１２、１３は、熱交換ユニット１の上下方向に亘ってそれぞれ延在しており、この２つの段差面１２、１３のうちの奥側の段差面１３からは、各種配管が熱交換ユニット１の内部から外側に向かって突出している。この配管は、詳細には、水熱源用の冷却水を取り込むための給水用配管１４ａ及び冷却水の排水用配管１４ｂ、冷媒管としての高圧ガス管１５ａ、低圧ガス管１５ｂ、液管１５ｃ及びオイル管１５ｄである。
また、排水用配管１４ｂの左側には、締結部材によって着脱可能に取り付けられた蓋部１６を備えている。
【００１６】
図２は、図１の状態から、上面板２、右側面板５、前面板７、および蓋部１６を省略して示す斜視図である。
熱交換ユニット１の内部には、前面板７の後側に配置された電装ボックス１１と、この電装ボックスの後側に配置された２つの圧縮機１８Ａ、１８Ｂと、電磁式の四方弁１９（図３参照）、水冷式の室外熱交換器２１、アキュムレータ２２、オイルセパレータ２３、室外膨張弁２４よりも高所に取り付けられる各種電磁弁、レシーバタンク２５（図３参照）などが配置されている。これらは、冷媒管によって接続されて、冷媒回路を構成している。また、熱交換ユニット１の前面板７を取り外すと、電装ボックス１１の内部に取り付けられた基板８、端子台９、継電器１０などが熱交換ユニット１の外側からメンテナンスできるようになっている。
【００１７】
室外熱交換器２１には、それぞれ冷却水循環管路３５が設けられている。この冷却水循環管路３５の一部は、冷媒管の外側を水が流れる二重構造の管で構成されると共に、４つの冷却水循環管路３５ａ〜３５ｄ（多パス構造）で構成されており、４つの領域で冷媒との熱交換が可能になっている。冷媒管の外側を流れる水は、上述したように、給水用配管１４ａから流入し、排水用配管１４ｂから流出する。
【００１８】
図３は、熱交換ユニット１を適用した空気調和装置の冷媒回路図である。
この空気調和装置３１は、複数台（２台）の熱交換ユニット１Ａ、１Ｂと、複数台（２台）の室内ユニット３０Ａ、３０Ｂとを備えている。この空気調和装置３１では、熱交換ユニット１Ａ、１Ｂと室内ユニット３０Ａ、３０Ｂとを接続する冷媒接続管１５が、上述した高圧ガス管１５ａ、低圧ガス管１５ｂ、液管１５ｃとから構成され、室内ユニット３０Ａ、３０Ｂを同時に冷房運転若しくは暖房運転可能とし、または、これらの冷房運転（ドライ運転を含む）と暖房運転とを混在して実施可能としている。
【００１９】
室内ユニット３０Ａは、室内熱交換器（利用側熱交換器）４０と膨張弁（減圧装置）４１とを備えて構成され、この室内熱交換器４０の一端は、室内膨張弁４１を介して液管１５ｃに配管接続されている。また、室内熱交換器４０の他端には、分岐管４２が接続され、この分岐管４２は、高圧ガス分岐管４２Ａと低圧ガス分岐管４２Ｂとに分岐し、一方の高圧ガス分岐管４２Ａは第１開閉弁（例えば、電磁弁）４３を介して高圧ガス管１５ａに接続され、他方の低圧ガス分岐管４２Ｂは第２開閉弁（例えば、電磁弁）４４を介して低圧ガス管１５ｂに接続されている。また、室内ユニット３０Ａには、室外熱交換器２１の出入口温度や室温を検出する温度センサ等が配置される他、これらセンサの検出結果を入力してこの室内ユニット３０Ａの制御を行う室内制御装置（図示せず）を備えている。
室内ユニット３０Ｂは、室内ユニット３０Ａと略同一の構成であるため、同一の部分に同一の符号を付して示し、重複する説明は省略する
【００２０】
熱交換ユニット１Ａは、能力可変型の圧縮機（ＤＣインバータ圧縮機）１８Ａと、能力一定型の圧縮機（ＡＣ圧縮機）１８Ｂと、オイルセパレータ２３と、室外熱交換器（熱源側熱交換器）２１と、室外膨張弁２４と、レシーバタンク２５等から概略構成されている。以下、各圧縮機１８Ａ、１８Ｂを特に区別する必要がない場合は、圧縮機１８と表記する。
【００２１】
各圧縮機１８は、並列接続され、各圧縮機１８の吸込口に共通接続された吸込管７１が、アキュムレータ２２を介して低圧ガス管１５ｂに接続される。また、各圧縮機１８の吐出口に接続された吐出管７２は、オイルセパレータ２３を経て延出し、２つに分岐し、一方の冷媒吐出分岐管７２Ａが高圧ガス管１５ａに接続され、他方の冷媒吐出分岐管７２Ｂが室外熱交換器２１に接続されている。
【００２２】
ここで、上記冷媒吐出分岐管７２Ｂには、切換弁７３が設けられ、この切換弁７３が開くと、圧縮機１８の吐出冷媒が、室外熱交換器２１に供給される。
上記切換弁７３と室外熱交換器２１の間には、一つのポートＡが塞がれた、四方弁７４が設けられ、この四方弁７４は、室外熱交換器２１の一端と、切換弁７３につながる管路３１Ｂとを連通し、或いは、室外熱交換器２１の一端と、圧縮機１８の吸込管７１につながる管路７５とを連通する。
【００２３】
室外熱交換器２１の他端は、室外熱交換器２１に供給する冷媒流量を調整するための室外膨張弁２４、レシーバタンク２５、及び補助冷却回路７６を介して液管１５ｃと配管接続されている。補助冷却回路７６は、レシーバタンク２５と液管１５ｃとを接続する冷媒配管７７を流れる液冷媒を補助冷却するものであり、より具体的には、レシーバタンク２５と液管１５ｃとの間の液冷媒が通る冷媒配管７７の一部と、この冷媒配管７７から分岐して膨張弁７８を通過した冷媒が通る分岐管７９の一部とを２重管で構成した、２重管式熱交換器である。膨張弁７８を通過した冷媒が通る分岐管７９は、補助冷却回路７６に接続された冷媒配管８０を介して圧縮機１８の吸込管７１とつながり、この分岐管７９、８０を通過した冷媒は圧縮機１８の吸込口に戻される。
【００２４】
オイルセパレータ２３には、オイルセパレータ２３に溜められたオイルを圧縮機１８の冷媒吸込管に戻すための冷媒戻し管８１が接続され、例えばオイルセパレータ２３に溜められたオイル量が所定量以上の場合に、余剰のオイル量が冷媒戻し管８１を介して圧縮機１８の冷媒吸込管に戻される。冷媒戻し管８１には、キャピラリーチューブ３６が設けられ、さらに、冷媒戻し管８１と後述するオイルバランス管８２とを接続するオイル分岐管８１Ａが設けられ、オイル分岐管８１Ａには切換弁８４が配設されている。
【００２５】
オイルセパレータ２３には、オイルセパレータ２３と他の熱交換ユニット１Ｂが有する冷媒戻し管８１とを接続するためのオイルバランス管８２が接続される。オイルバランス管８２には、キャピラリーチューブ３７、バランス弁８５および逆止弁８６が直列に接続され、その先端は、熱交換ユニット１Ａと熱交換ユニット１Ｂとの間でオイル量のバランスを保つためのオイル管１５ｄに接続される。
【００２６】
熱交換ユニット１Ａは、室外熱交換器２１の出入口温度を検出する温度センサＳＯ１、ＳＯ２、圧縮機１８の吸込圧を検出する圧力センサＳＡ１及び圧縮機１８の吐出圧を検出する圧力センサＳＢ２、ＳＢ３等の各種センサ、複数の逆止弁、各種センサの検出結果を入力して熱交換ユニット１Ａ全体を制御する室外制御装置１００等を備える。
室外制御装置１００は、圧縮機１８Ａ、圧縮機１８Ｂに各々配設され、各圧縮機におけるオイル量を検知するオイルセンサ（図示略）に接続され、これらオイルセンサにより検知されたオイル量に従って、バランス弁８５、バイパス弁４５および切換弁８４の開閉を制御する。なお、熱交換ユニット１Ｂは、熱交換ユニット１Ａと同一の構成であるため、同一の部分には同一の符号を付して示し、重複する説明は省略する。
【００２７】
各熱交換ユニット１Ａ、１Ｂの室外制御装置１００は、図示しない制御配線により相互に通信可能に接続されている。そして、空気調和装置３１の動作時には、各熱交換ユニット１Ａ、１Ｂのいずれか１つが親機として機能し、親機の室外制御装置１００は、図示を省略したリモートコントローラを介して入力したユーザ指示に基づいて、他の室外制御装置１００や室内制御装置と通信し、この空気調和装置３１全体の運転制御を行う。
【００２８】
全ての室内ユニット３０Ａ、３０Ｂを同時に冷房運転する場合、各熱交換ユニット１Ａ、１Ｂでは、切換弁７３が開くと共に四方弁７４が切換制御され、また、各室内ユニット３０Ａ、３０Ｂでは第１開閉弁４３が閉じ、第２開閉弁４４が開く。この場合、圧縮機１８の吐出冷媒が、オイルセパレータ２３を介して室外熱交換器２１に供給され、ここで放熱・凝縮して液冷媒となり、レシーバタンク２５及び補助冷却回路７６を経て液管１５ｃに供給される。そして、室内ユニット３０Ａ、３０Ｂにおいては、液管１５ｃを介して液冷媒が室内膨張弁４１を介して室内熱交換器４０に供給され、ここで吸熱・蒸発し、低温低圧のガス冷媒となり、第２開閉弁４４を介して低圧ガス管１５ｂに供給される。
この低圧ガス管１５ｂに供給されたガス冷媒は、熱交換ユニット１Ａ、１Ｂの吸込管７１を介して圧縮機１８で再び圧縮される。これによって、全ての室内ユニット３０Ａ、３０Ｂで同時に冷房運転が可能になる。
【００２９】
一方、全ての室内ユニット３０Ａ、３０Ｂを同時に暖房運転する場合、各熱交換ユニット１Ａ、１Ｂでは、切換弁７３が閉じると共に四方弁７４が切換制御され、各室内ユニット３０Ａ、３０Ｂでは第１開閉弁４３が開き、第２開閉弁４４が閉じる。この場合、圧縮機１８が吐出した高温高圧のガス冷媒が、オイルセパレータ２３を介して高圧ガス管１５ａに供給される。そして、室内ユニット３０Ａ、３０Ｂにおいては、高圧ガス管１５ａを介してガス冷媒が室内熱交換器４０に供給され、ここで、放熱・凝縮して液冷媒となった後、室内膨張弁４１を介して液管１５ｃに供給される。この液管１５ｃに供給された液冷媒は、熱交換ユニット１Ａ、１Ｂの冷媒配管７７及びレシーバタンク２５を介して室外熱交換器２１に供給され、ここで、吸熱・蒸発し、ここで低温低圧のガス冷媒となり、吸込管７１を介して圧縮機１８で再び圧縮される。これによって、全ての室内ユニット３０Ａ、３０Ｂで同時に暖房運転が可能になる。
【００３０】
また、暖房運転と冷房運転の混在運転を行う場合、例えば、室内ユニット３０Ａを暖房運転し、室内ユニット３０Ｂを冷房運転する場合、熱交換ユニット１Ａ、１Ｂが上記同時暖房運転の場合と同様に制御される一方、室内ユニット３０Ａにおいては、第１開閉弁４３が閉じ、第２開閉弁４４が開き、室内ユニット３０Ｂにおいては、第１開閉弁４３が開き、第２開閉弁４４が閉じる。この場合、各熱交換ユニット１Ａ、１Ｂから高温高圧のガス冷媒が高圧ガス管１５ａに供給され、室内ユニット３０Ａにおいては、高圧ガス管１５ａを介してガス冷媒が室内熱交換器４０に供給され、ここで放熱・凝縮して液冷媒となった後、室内膨張弁４１を介して液管１５ｃに供給される。この液管１５ｃに供給された液冷媒の一部は熱交換ユニット１Ａ、１Ｂへ戻り、室外熱交換器２１で吸熱・蒸発し、低温低圧のガス冷媒となる。
【００３１】
一方、液管１５ｃに供給された液冷媒の残りは、室内ユニット３０Ｂの室内熱交換器４０に供給され、ここで吸熱・蒸発し、低温低圧のガス冷媒となった後、第２開閉弁４４を介して低圧ガス管１５ｂに供給される。
そして、低圧ガス管１５ｂに供給された冷媒は、室外熱交換器２１を経た上記ガス冷媒と共に、吸込管７１を介して圧縮機１８で再び圧縮される。これによって、室内ユニット３０Ａ、３０Ｂ毎に暖房運転と冷房運転とが可能になる。
【００３２】
空気調和装置３１の熱交換ユニット１Ａ、１Ｂ間でオイルを供給する場合、オイルを供給する側の熱交換ユニットにおいては、オイルバランス管８２から圧縮機１８にオイルが戻らないよう、室外制御装置１００の制御により切換弁８４が閉鎖される。ここで、室外制御装置１００の制御によってオイルバランス管８２のバランス弁８５が開放されて、オイルセパレータ２３からオイルバランス管８２にオイルが流入する。さらに、室外制御装置１００の制御によりバイパス弁４５が開放され、冷媒吐出分岐管７２Ａから冷媒吐出分岐管７２Ｃを介して、オイルバランス管８２に高圧の冷媒が流入する。この高圧の冷媒は、オイルバランス管８２のオイルを押し流しながらオイル管１５ｄへ流出し、オイルの供給を受ける側の熱交換ユニットに達する。
【００３３】
オイルの供給を受ける側の熱交換ユニットにおいては、室外制御装置１００の制御により切換弁８４が開放され、オイルバランス管８２から圧縮機１８の吸込口にオイルを流す管路が確保される。ここで、オイルを供給する側の熱交換ユニットから、オイルと高圧の冷媒とがオイル管１５ｄを介してオイルバランス管８２に流入すると、流入したオイルおよび冷媒は逆止弁８６により止められてオイル分岐管８１Ａ側に流れ、オイル分岐管８１Ａから冷媒戻し管８１を介して圧縮機１８の吸込口に達する。
【００３４】
熱交換ユニット１Ａ、１Ｂは、例えばビル等の天井裏の密閉した空間に吊り金具を介して吊り下げられている。この熱交換ユニットを密閉空間に設置した場合、室外熱交換器２１には空冷式が適さず、上述したように、水冷式が一般的に採用されている。熱交換ユニットを天井裏に配置した場合、当該熱交換ユニットを屋上等に配置する場合に比べ、室内ユニットの近くに配置でき、冷媒配管長を短く設計できる。
【００３５】
図４は、電装ボックス１１を単体で左下から見た斜視図である。
電装ボックス１１は、基板８、電源トランス、端子台９、コンデンサ等の各種電気回路及び室外制御装置１００を収納している。
この電装ボックス１１は、背面部６０Ａの上端部及び左右側端部がそれぞれ前方に折り曲げられて上面部６０Ｂ、左側面部６０Ｃ及び右側面部６０Ｄが形成されて、前後方向に薄い略矩形の箱形状をしている。ここで、電装ボックス１１の前面及び下面は、外部に臨んでいる。また、右側面部６０Ｄは、前方に向かって二段階に折り曲げられて形成されており、電装ボックス１１は、上面視で略矩形に形成された箱形状の右後ろの角部が切り取られたような形状をしている。
【００３６】
左側面部６０Ｃの前端は左方向に屈曲されて、左方向にフランジ状に突出する左取付フランジ部６１が設けられている。この左取付フランジ部６１は、左側面部６０Ｃの高さ寸法と略同寸法の長さで高さ方向に延在している。
左取付フランジ部６１の上端には、端部が略水平に形成された左取付フランジ上端６６が形成され、左取付フランジ部６１の下端には、端部が略水平に形成された左取付フランジ下端６７が形成されている。また、左取付フランジ部６１の背面には、電装ボックス１１がユニット本体２０に取り付けられた状態で、前面板７と略平行になるように、左フランジ背面部６１Ａが形成されている。さらに、左取付フランジ部６１には、ねじが貫通するための二つのねじ孔９５が上下に形成されている。
【００３７】
一方、右側面部６０Ｄの前端は右方向に屈曲されて、右方向にフランジ状に突出する右取付フランジ部６２が設けられている。この右取付フランジ部６２は、右側面部６０Ｄの高さ方向と略同寸法の長さで高さ方向に延在している。すなわち、左取付フランジ部６１と右取付フランジ部６２とは、ユニット本体２０の前面板７に沿って横方向にそれぞれ相反する向きに広がるように設けられている。
右取付フランジ部６２の下端には、端部が略水平に形成された右取付フランジ下端６９が形成されている。また、右取付フランジ部６２の背面には、電装ボックス１１がユニット本体２０に取り付けられた状態で、前面板７と略平行になるように、右フランジ背面部６２Ａが形成されている。さらに、右取付フランジ部６２には、ねじが貫通するための二つのねじ孔９５が上下に形成されている。
【００３８】
ユニット本体２０には、図２に示すように、電装ボックス１１を取り付けるための、左支柱（支柱）９２と右支柱（支柱）９３とを備えている。
左支柱９２は、ユニット本体２０の左側面板４の前端に設けられ、電装ボックス１１の左フランジ背面部６１Ａと略平行になるように、略直角にフランジ状に屈曲して形成されている。詳述すると、左支柱９２は、左側面板４の前端で右方（ユニット本体２０の内側方向）に開いたコの字断面が高さ方向に延在して形成された部分の前端が、前方に略直角に屈曲され、ユニット本体２０の前端で左方（ユニット本体２０の外側方向）に屈曲されて形成されている。左支柱９２は、このように複数回屈曲させて形成することにより、左側面板４をユニット本体２０の前端で右方に一度だけ屈曲させて形成した場合よりも、ユニット本体２０の高さ方向の強度を強くなるように形成されている。
【００３９】
左支柱９２の前面には、図２に示すように、電装ボックス１１の左フランジ背面部６１Ａと当接するための左当接フランジ部８７が、電装ボックス１１を取り付けたときに左フランジ背面部６１Ａと略平行になるように形成されている。
左当接フランジ部８７の下端８７Ｂの前方には、図５（ａ）に示すように、Ｌ字状に屈曲されて、電装ボックス１１を左取付フランジ下端６７で下方から支持するための左支持部９６が形成されている。
一方、左当接フランジ部８７の上端８７Ａの前方には、下向きに開いたコ字状の爪部９４が形成されている。ここで、爪部９４の先端部である下端９４Ａと左当接フランジ部８７の下端８７Ｂとの間隔Ｌ１は、左取付フランジ部６１の左取付フランジ上端６６と左取付フランジ下端６７との寸法Ｌ２よりも短く形成されている。これにより、左支持部９６で支持される左取付フランジ部６１が前方に倒れた場合であっても、左取付フランジ上端６６が爪部９４の裏面９４Ｂに当たって引っかかるようになっている。また、左当接フランジ部８７の上端８７Ａから略直角に前方に屈曲された部分の下面には、電装ボックス１１を取り付ける際に、左取付フランジ上端６６を当接させるための当接面９４Ｃが形成されている。
左当接フランジ部８７の上端８７Ａと下端８７Ｂとの間の寸法Ｌ３は、左取付フランジ上端６６と左取付フランジ下端６７との間の寸法Ｌ２と略同寸法に設けられている。
【００４０】
右支柱９３は、図２に示すように、段差面１２、１３の左側に設けられており、後方に開いたコの字断面が高さ方向に延在して形成された柱部９３Ａを備えるとともに、この柱部９３Ａの左面の後端を、電装ボックス１１を取り付けたときに右フランジ背面部６２Ａと略平行になるように、略直角に左方にフランジ状に屈曲して形成されている。
右支柱９３のフランジ状に形成された部分の前面には、電装ボックス１１の右フランジ背面部６２Ａと当接するための右当接フランジ部８８が、右フランジ背面部６２Ａと略平行になるように、電装ボックス１１の右取付フランジ部６２の高さ寸法と略同寸法で形成されている。
右当接フランジ部８８の下端８８Ｂは、図５（ａ）に示すように、前方に略直角に屈曲されて、電装ボックス１１の右取付フランジ下端６９で電装ボックス１１を下方から支持するための右支持部９７が形成されている。
右当接フランジ部８８の上端８８Ａと下端８８Ｂとの間の寸法Ｌ５は、右取付フランジ上端６８と右取付フランジ下端６９との間の寸法Ｌ４と略同寸法に設けられている。
【００４１】
図５（ａ）、（ｂ）は、電装ボックス１１をユニット本体２０に取り付ける様子を示す側面図である。
電装ボックス１１を、ユニット本体２０に取り付けるときには、ユーザは、図５（ａ）に示すように、電装ボックス１１の左取付フランジ上端６６を後方に倒し、爪部９４と左当接フランジ部８７との間に、左取付フランジ上端６６を差し込んで、爪部９４の当接面９４Ｃに左取付フランジ上端６６を当接させる。
左取付フランジ上端６６を、爪部９４と左当接フランジ部８７との間に差し込むと、ユーザは、図５（ｂ）に示すように、左取付フランジ上端６６を支点に、電装ボックス１１の下部１１Ａを後方に回動させる。
電装ボックス１１を後方に回動させると、電装ボックス１１の左フランジ背面部６１Ａと左支柱９２の左当接フランジ部８７とが当接するとともに、電装ボックス１１の右フランジ背面部６２Ａと右支柱９３の右当接フランジ部８８とが当接する位置で回動が止まる。このとき、左取付フランジ下端６７が左支持部９６で支持されるとともに、右取付フランジ下端６９が右支持部９７で支持された状態となり、電装ボックス１１は仮止めの状態となる。
【００４２】
図６（ａ）は、爪部９４及び左取付フランジ上端６６を示す斜視図、図６（ｂ）は、左支持部９６及び左取付フランジ下端６７を示す斜視図、図６（ｃ）は、右支持部９７及び右取付フランジ下端６９を示す斜視図である。
電装ボックス１１がユニット本体２０に仮止めの状態となると、左取付フランジ上端６６が、図６（ａ）に示すように、爪部９４の裏面９４Ｂ（図５（ｂ）参照）と左当接フランジ部８７との間に位置する。また、左取付フランジ下端６７は、図６（ｂ）に示すように、左支持部９６によって下方から支持され、右取付フランジ下端６９は、図６（ｃ）に示すように、右支持部９７によって下方から支持される。
これにより、電装ボックス１１が、左取付フランジ下端６７と右取付フランジ下端６９とを支点に、後方に傾いたときには、電装ボックス１１の左フランジ背面部６１Ａ（図５（ｂ）参照）と左支柱９２の左当接フランジ部８７とが当接するとともに、電装ボックス１１の右フランジ背面部６２Ａ（図５（ｂ）参照）と右支柱９３の右当接フランジ部８８（図５（ｂ）参照）とが当接する。
【００４３】
また、電装ボックス１１が、左取付フランジ下端６７と右取付フランジ下端６９とを支点に、前方に傾いたときには、左支柱９２の爪部９４の裏面９４Ｂ（図５（ｂ）参照）と左取付フランジ部６１の左取付フランジ上端６６とが当接する。
このとき、電装ボックス１１の左取付フランジ部６１及び右取付フランジ部６２に形成された各ねじ孔９５と、左当接フランジ部８７及び右当接フランジ部８８に形成された各ねじ孔６５との位置がそれぞれ対応して連通する。ユーザは、図２に示すように、ねじ７０を取り付けることによって、電装ボックス１１をユニット本体に本止めし、電装ボックス１１は、図７に示すように、ユニット本体２０に取り付けられる。
【００４４】
本実施形態によると、電装ボックス１１を取り付ける左支柱９２及び右支柱９３に対し、左支持部９６及び爪部９４が設けられた左当接フランジ部８７と、右支持部９７が設けられた右当接フランジ部８８とを備えている。これにより、電装ボックス１１を上方に移動させることなく、着脱することができ、電装ボックス１１とユニット本体２０の上面板２との間に、電装ボックス１１を上方にスライドさせるためのスペースを設けなくても、電装ボックス１１の仮止めを容易に行うことができる。このため、複雑な構造を備えることなく、電装ボックス１１の着脱が簡便であり、さらには、ユニット本体２０の高さを低く抑えることができる。
【００４５】
また、本実施形態によると、ユニット本体２０の左当接フランジ部８７に左支持部９６と爪部９４とねじ孔６５とを左取付フランジ部６１に一体に設け、ユニット本体２０の右当接フランジ部８８に右支持部９７とねじ孔６５とを右取付フランジ部６２に一体に設けたため、部品点数を少なくすることができる。
【００４６】
以上、一実施形態に基づいて本発明を説明したが、本発明はこれに限定されるものではない。上記実施形態では、爪部９４を、左支柱９２だけに設けたが、これに限定されず、左支柱９２に代えて右支柱９３に設けてもよいし、左支柱９２及び右支柱９３の双方に設けてもよい。
また、上記実施形態では、左支持部９６と右支持部９７とが異なる高さの位置に設けられているが、これに限定されず、同じ高さであってもよい。
さらに、上記実施形態では、３本の冷媒配管を備えた、いわゆるスリーウェイの空気調和装置で説明したが、これに限定されず、一般的な２本の冷媒配管を備えたツーウェイの空気調和装置にも適用が可能なことは云うまでもない。
【図面の簡単な説明】
【００４７】
【図１】本発明の実施の形態に係る熱交換ユニットの斜視図である。
【図２】図１の熱交換ユニットから上面板、右側の側板、前面板および蓋部を省略して示す斜視図である。
【図３】本発明の実施の形態に係る熱交換ユニットを備えてなる空気調和装置の冷媒回路図である。
【図４】電装ボックスを示す斜視図である。
【図５】ユニット本体及び電装ボックスを示す左側面図である。
【図６】（ａ）爪部を示す斜視図である。（ｂ）左支持部９６を示す斜視図である。（ｃ）右支持部を示す斜視図である。
【図７】ユニット本体に電装ボックスが取り付けられた様子を示す斜視図である。
【符号の説明】
【００４８】
１  熱交換ユニット
１１  電装ボックス
１８  圧縮機
２０  ユニット本体
２１  室外熱交換器（熱交換器）
６１  左取付フランジ部（取付フランジ部）
６２  右取付フランジ部（取付フランジ部）
８７  左当接フランジ部（当接フランジ部）
８８  右当接フランジ部（当接フランジ部）
９２  左支柱（支柱）
９３  右支柱（支柱）
９４  爪部
９６  左支持部（支持部）
９７  右支持部（支持部）
【図１】
2008032254.tif 000003
【図２】
2008032254.tif 000004
【図３】
2008032254.tif 000005
【図４】
2008032254.tif 000006
【図５】
2008032254.tif 000007
【図６】
2008032254.tif 000008
【図７】
2008032254.tif 000009